(57)【要約】【課題】衣類に取り付けられて、洗濯をした場合であっても、破損しにくくすることを目的とする。【解決手段】ＩＣタグ１は、外装体６の内部に形成した薄く、平面形状が略四角形の収納空間６ａに、同じく平面形状が略四角形の基板４と保護板５とを重ねて非接着で収納し、基板４は、タグ情報を記憶保持するタグＩＣチップ２と、このタグＩＣチップ２に電気的に接続され、無線信号を受信するタグアンテナ部３とを備えたことを特徴とする。【選択図】図２
2009211464.tif 000002
【特許請求の範囲】
【請求項１】
外装体内部の収納空間に、基板と保護板とを重ねて非接着で収納したＩＣタグであって、
前記基板は、タグ情報を記憶保持するタグＩＣチップと、
このタグＩＣチップに電気的に接続され、無線信号を受信するタグアンテナ部とを備えたことを特徴とするＩＣタグ。
【請求項２】
前記保護板を前記基板より大きくしたことを特徴とする請求項１に記載のＩＣタグ。
【請求項３】
前記保護板の角となる部分の曲率を前記基板の角となる部分の曲率より小さくしたことを特徴とする請求項２に記載のＩＣタグ。
【請求項４】
前記保護板のバリを前記基板に向けたことを特徴とする請求項１から請求項３のいずれか一つに記載のＩＣタグ。
【請求項５】
前記保護板に孔部を設け、
この孔部の位置を、前記保護板と前記基板とを重ねたときに前記タグＩＣチップが収まる位置としたことを特徴とする請求項１から請求項４のいずれか一つに記載のＩＣタグ。
【請求項６】
前記保護板を前記基板の両面に設けると共に、これらの保護板のバリを互いに対向するようにしたことを特徴とする請求項１から請求項５のいずれか一つに記載のＩＣタグ。
【発明の詳細な説明】
【技術分野】
【０００１】
本発明は、ＩＣチップに記憶保持されたタグ情報をやりとりするＩＣタグに関する。
【背景技術】
【０００２】
近年、物流、物品などの管理を効率化するために、ＩＣタグが利用されている。例えば、リネン業者と呼ばれる衣類洗濯業者は、ホテル、医療、介護、食品などの衛生・環境管理が必要とされる業界に洗濯サービスなどを提供していた。衣類洗濯業者は、洗濯作業工程において、洗濯の対象となる多数の衣類を管理するために、リーダライタ装置で衣類に取り付けたＩＣタグからタグ情報を読み取り、回収、洗濯工程、高温減菌処理、納品、廃棄などの管理をしていた。
【０００３】
ＩＣタグは、タグ情報を記憶保持するタグＩＣチップと、このタグＩＣチップに接続され、無線信号を受信するタグアンテナ部とを備えている。このような構成をしたＩＣタグを布ラベルで覆い、この布ラベルを熱圧着または縫製で衣類に固着することにより、衣類に取り付けていた（例えば、特許文献１を参照）。
【特許文献１】特開２００３−１０５６０９号公報
【発明の開示】
【発明が解決しようとする課題】
【０００４】
従来のＩＣタグは、洗濯工程において、水洗い設備で水洗いされた場合には、衣類が激しく揉まれるのに伴って、アンテナ部、タグＩＣチップおよびアンテナ部とタグＩＣチップとの接合部に繰り返し応力が加わり、この部分が破損しやすくなるといった課題があった。
【０００５】
そこで、本発明は衣類に取り付けられて、洗濯をした場合であっても、破損しにくくすることを目的とする。
【課題を解決するための手段】
【０００６】
この目的を達成するために、本発明のＩＣタグは、外装体内部の収納空間に、基板と保護板とを重ねて非接着で収納したＩＣタグであって、基板は、タグ情報を記憶保持するタグＩＣチップと、このタグＩＣチップに電気的に接続され、無線信号を受信するタグアンテナ部とを備えたことを特徴とする。このような構成により、初期の目的を達成するものである。
【発明の効果】
【０００７】
以上のごとく本発明は、外装体内部の収納空間に、基板と保護板とを重ねて非接着で収納し、基板は、タグＩＣチップと、このタグＩＣチップに接続されたタグアンテナ部とを備えたため、衣類に取り付けられて、洗濯をした場合であっても、破損しにくくすることができる。
【発明を実施するための最良の形態】
【０００８】
以下、本発明の一実施の形態について図面を用いて詳細に説明する。
【０００９】
（実施の形態）
まず、図１〜図６を参照しながら、本発明の実施の形態におけるＩＣタグついて説明する。図１は本実施の形態におけるＩＣタグ１の概観図、図２は本実施の形態におけるＩＣタグ１の分解斜視図、図３は本実施の形態におけるＩＣタグ１の保護板を説明する斜視図、図４は本実施の形態におけるＩＣタグ１の保護板を説明する上面図、図５は本実施の形態における図１のＡ−Ａ線の断面を示す断面図、図６は本実施の形態における図５の一部分Ｂの部分断面図である。
【００１０】
図１に示すように、ＩＣタグ１は、外装体６の内部に形成された収納空間６ａ（図２）に、タグ情報を記憶保持しているタグＩＣチップ２と、このタグＩＣチップ２に電気的に接続され、受信した無線信号から電力を生成するタグアンテナ部３とを備えている。
【００１１】
このような構成により、後述するリーダライタ装置５０（図１１）で衣類、タオル、シールなどに取り付けたＩＣタグ１からタグ情報を読み取り、回収、洗濯工程、高温減菌処理、納品、廃棄などの管理を行う。例えば、パーソナルコンピュータなどの管理部が備えたデータベースに衣類などのタグ情報に関係する管理情報を記憶しておき、リーダライタ装置５０で読まれたタグ情報を記憶、検索などして管理する。
【００１２】
次に、図２に示すように、ＩＣタグ１は、外装体６の内部に形成した薄く、平面形状が略四角形の収納空間６ａに、同じく平面形状が略四角形の基板４と保護板５とを重ねて、非接着で収納している。基板４は、タグＩＣチップ２とタグアンテナ部３とを有し、タグアンテナ部３はタグＩＣチップ２に電気的に接続されている。また、保護板５は、基板４の全体を保護している。
【００１３】
これにより、ＩＣタグ１を衣類に取り付け、この衣類を洗濯などで激しく揉み洗いするなど外部から応力をかけても、この保護板５により、基板４が保護されるため、タグＩＣチップ２、タグアンテナ部３およびタグＩＣチップ２とタグアンテナ部３との接合部を損傷しにくくすることができる。
【００１４】
具体的には、外装体６は、枠部材７ｃの上下面を外装部７ａ、７ｂで覆った収納空間６ａを有している。ＩＣタグ１は、この収納空間６ａに基板４と保護板５とを重ねて非接着で収納している。
【００１５】
基板４は、例えば、プラスチックシートで形成する。また、保護板５は、外装部７ａ、７ｂより硬い、耐熱性のある樹脂で形成する。例えば、ガラスエポキシ樹脂板（ＦＲ４）や、曲げ強さが大きいポリフェニレンサルファイド（ＰＰＳ）などのプラスチックで形成する。これにより、熱による変形を抑えると共に、外部からの衝撃で基板４が変形するのを抑えることができる。
【００１６】
また、外装部７ａ、７ｂは、衣類などを傷つけないようにするため、やわらかい材質の材料で形成する。例えば、ポリエステルで形成する。また、枠部材７ｃは、例えば、ポリエステルで形成する。
【００１７】
これにより、上述した効果を奏するものである。さらに、外部からＩＣタグ１を１６０℃〜２００℃で高温加熱しても、基板４と保護板５とを外装体６の収納空間６ａに非接着で収納していることから、外装体６の伸び縮みによる影響を受けにくい。このため、基板４の変形が抑えられ、この変形による回路破損を抑えることができる。
【００１８】
次に、図３に示すように、保護板５に基板４を接着する。すなわち、タグＩＣチップ２は高さが２５０μｍ程度あり、この高さのために基板４の表面では大きな段差を生じる。このため、そのまま保護板５に基板４を重ねて貼り合わせても、タグＩＣチップ２が当たる。そこで、タグＩＣチップ２が当たらないように、保護板５でタグＩＣチップ２が当たる部分に孔部８を設けた。この孔部８の直径はタグＩＣチップ２が収まる径とする。そして、この孔部８にタグＩＣチップ２を収めるように貼り合わせの位置を調整し、その後に保護板５に基板４を接着する。これにより、タグＩＣチップ２を当てることなく、保護板５に基板４を接着することができる。
【００１９】
これにより、タグＩＣチップ２およびタグＩＣチップ２とタグアンテナ部３との接合部にも力が加わらないため、タグＩＣチップ２の破損、接合部の断線などを防止することができる。よって、衣類に取り付けられたＩＣタグ１を洗濯して激しく揉んでも、基板４に備えたタグＩＣチップ２、タグＩＣチップ２とタグアンテナ部３との接合部を損傷しにくくすることができる。
【００２０】
次に、図４から図６を用いて、保護板５のバリ対策について説明する。
【００２１】
保護板５は、硬い材質であるため、成型器などで打ち抜き成型されると、打ち抜く方向にバリができる。このバリが、やわらかい材質の外装部７ａまたは外装部７ｂに当接すると破損させる可能性がある。
【００２２】
そこで、図４に示すように、保護板５の外形を基板４の外形より大きくした。さらに、保護板５の角１０の曲率を基板４の角９の曲率より小さくした。すなわち、基板４が保護板５の内側に入るようにしている。
【００２３】
このようにすることで、図５に示すように、保護板５に生じたバリを基板４側に向けると共に、そのバリの内側に基板４を配置することができる。よって、保護板５のバリが外装部７ａに当たらない。さらに、保護板５の角１０の曲率を小さくすることで、角１０が外装部７ａに当接した場合であっても、外装部７ａに与える圧力を小さくしているため、破損しにくくなる。
【００２４】
具体的には、図５の一部分Ｂを拡大した図６に示すように、保護板５のバリ１１を外装部７ａに当接しないように基板４に向けている。さらに、基板４が保護板５と外装部７ｂとの間に挿入されているため、基板４の厚み寸法だけ保護板５と外装部７ｂとの距離を離すことになり、保護板５が外装部７ｂに当接しにくくなる。
【００２５】
このような構成により、硬い材質の保護板５により外装部７ａまたは外装部７ｂを損傷するのを抑えると共に、硬い保護板５が衣類を傷つけるのを抑えている。よって、衣類に取り付けたＩＣタグ１を洗濯して激しく揉んでも、ＩＣタグ１の外装体６の損傷をしにくくすると共に、衣類に傷をつけにくくすることができる。
【００２６】
次に、図７および図８を参照しながら、他の実施例について説明する。図７は本実施の形態におけるＩＣタグ２０の他の実施例を示す分解斜視図、図８は図７に示すＩＣタグ２０の断面図である。
【００２７】
ＩＣタグ２０は、図７に示すように、基板４の両面に保護板５、１２を備えている。すなわち、基板４の上面に保護板５、基板４の下面に保護板１２を配置した。さらに、図８に示すように、基板４の上面に配置した保護板５のバリを基板４側に向けると共に、基板４の下面に配置した保護板１２のバリを基板４側に向けている。
【００２８】
このような構成により、ＩＣタグ１と同様に、保護板５は外装部７ａに当接しない。同様に、保護板１２は外装部７ｂに当接しない。ＩＣタグ２０は、保護板５と外装部７ｂとの間に基板４と保護板１２とが挿入され、ＩＣタグ１に比較して保護板５と外装部７ｂとの距離をさらに離すため、保護板５は外装部７ｂにより当接しにくくなる。同様に、保護板１２と外装部７ａとの間にも基板４と保護板５とが挿入され、保護板１２と外装部７ａとの距離をさらに離すため、保護板１２は外装部７ａにより当接しにくくなる。
【００２９】
また、保護板１２は、さらに、基板４のタグＩＣチップ２を保護するため、衣類に取り付けたＩＣタグ１を洗濯で激しく揉んでも、タグＩＣチップ２の損傷を抑えることができる。
【００３０】
次に、図９および図１０を参照しながら、他の実施例について説明する。図９は本実施の形態におけるＩＣタグ３０の他の実施例を示す分解斜視図、図１０は図９に示すＩＣタグ３０の断面図である。
【００３１】
ＩＣタグ３０は、図９に示すように、基板４の上面に保護板５、基板４の下面に基板４の外形より小さく、タグＩＣチップ２の外形より大きい保護板１３を備えている。さらに、枠部材１４の枠内に保護板１３を収納している。枠部材１４は、枠部材７ｃと外装部７ｂとの間に設けられている。
【００３２】
このような構成により、図１０に示すように、保護板１３をタグＩＣチップ２の下面に配置して、タグＩＣチップ２を保護することができる。これにより、衣類に取り付けられたＩＣタグ１を洗濯などで激しく揉んでも、タグＩＣチップ２の破損を抑えることができる。
【００３３】
次に、図１１を参照しながら、ＩＣタグ１の動作について説明する。図１１は、本実施の形態におけるＲＦＩＤシステム６０の構成を示すブロック図である。
【００３４】
図１１に示すように、ＲＦＩＤシステム６０は、ＩＣタグ１と、このＩＣタグ１のタグ情報を読み取るリーダライタ装置５０を備えている。この構成により、衣類に取り付けられたＩＣタグ１のタグ情報をリーダライタ装置５０で読み取り、管理することができる。
【００３５】
まず、リーダライタ装置５０はＩＣタグ１と交信を開始する。リーダライタ装置５０は、送信アンテナ４８を介して問い合わせ信号をＩＣタグ１に送信し、ＩＣタグ１からの応答信号を受信アンテナ４９で受信し、後述するように、復調してタグ情報を読み取る。
【００３６】
まず、リーダライタ装置５０は、ＩＣタグ１に、例えば「管理番号１は存在するのか？」という問い合わせが行われる。
【００３７】
次に、この問い合わせは、変調回路４２により、所定の搬送波を変調し、送信回路４３、送信アンテナ４８を介して、ＩＣタグ１に向けて出力される。所定の搬送波として、ＵＨＦ帯（９５２ＭＨｚ〜９５５ＭＨｚ）やマイクロ波帯（２．４５ＧＨｚ）の周波数を利用することができる。
【００３８】
ＩＣタグ１は、タグアンテナ部３で問い合わせ信号（無線信号）を受信すると共に、受信した無線信号から生成した電力をダイオード２３、２４で整流し、直流電圧（以下、「ＤＣ電圧」と記す）を生成する。このＤＣ電圧をコンデンサ２５に充電すると共に、このＤＣ電圧をタグＩＣチップ２に供給し、タグＩＣチップ２を起動する。これによって、タグＩＣチップ２の制御回路２８、復調回路２９、変調回路２１、メモリ２２が起動する。これにより、ＩＣタグ１では、電池などの電源を搭載しなくてもタグＩＣチップ２を動作させることができる。なお、ＩＣタグ１は、タグアンテナ部３で生成した電力を利用するので、その電源容量は小さい。このため、タグＩＣチップ２では、回路の消費電力を極力抑えている。
【００３９】
次に、制御回路２８からの指示で復調回路２９は、受信した無線信号から上記「管理番号１は存在するのか？」という問い合わせを復調する。
【００４０】
また、制御回路２８は、上記復調回路２９への指示と同時にメモリ２２に記憶保持している個別情報を読み出している。
【００４１】
メモリ２２に記憶保持されたタグ情報、すなわち、個別識別情報が「管理番号１」であった場合には、制御回路２８は、その問い合わせに対して「管理番号１」が存在することを、変調回路２１を介してスイッチ２７をＯＮ、ＯＦＦさせて応答する。
【００４２】
つまり、スイッチ２７がＯＮすれば、タグアンテナ部３の端子ａと端子ｂとが短絡され、スイッチ２７がＯＦＦされれば、タグアンテナ部３の端子ａと端子ｂとが開放される。これによって、リーダライタ装置５０から送信された電波を反射するか否かをタグ情報に応じて制御し、そのタグ情報の内容を伝達することができる。すなわち、タグ情報の「１」と「０」に対応させてスイッチ２７をＯＮまたはＯＦＦさせ、このスイッチ２７のＯＮ、ＯＦＦの繰り返しパターンにより、タグアンテナ部３からリーダライタ装置５０に応答出力し、「管理番号１」が存在することが報告される。例えば、タグ情報の「１」のときはスイッチ２７をＯＮにし、タグ情報の「０」のときはスイッチ２７をＯＦＦにする。なお、ＩＣタグ１では、タグアンテナ部３の端子ａと端子ｂを開放させたときに、反射が起きないように、インピーダンスをマッチングさせるコンデンサ２６を有している。
【００４３】
リーダライタ装置５０では、受信アンテナ４９で受信した応答信号が受信回路４４を介して復調回路４５に伝達され、復調した信号により、制御回路４１は、「管理番号１」の存在を確認する。リーダライタ装置５０は、この「管理番号１」の情報を、例えば、制御回路４１を介してメモリ部４０に記憶する。メモリ部４０は、メモリカードを備えている。そして、このメモリ部４０のメモリカードに記憶した「管理番号１」の情報を、例えば、ネットワークに接続されているパーソナルコンピュータなどの管理部（図示せず）で入力する。管理部では、入力された「管理番号１」の情報に基づいてハードティスクなどに記憶されているデータベース（図示せず）から衣類情報を検索し、回収日、納品日などを管理する。なお、データベースには、衣類に係る情報が管理情報として記憶されており、洗濯作業での洗濯管理情報、納品情報、貸与先からの回収、貸与、廃棄などの情報が記憶されている。
【００４４】
また、リーダライタ装置５０は、制御回路４１からＩＣタグ１に、「管理番号１は存在するのか？」と、問い合わせが行われたにも係わらず、「管理番号１」を記憶したＩＣタグ１が存在しない場合には、応答がないので、制御回路４１は、この「応答なし」から「管理番号１」は存在しないことを確認する。
【００４５】
なお、図１１において、リーダライタ装置５０は、変調、同期を行うためのクロック回路４６と、各回路にＤＣ電圧を供給するための電源回路４７を備えている。電源回路４７は、例えば、ＤＣ電圧を発生させる電池などを有する。
【００４６】
また、リーダライタ装置５０は、メモリ２２が書き換え可能な場合には、ＩＣタグ１で記憶保持されているタグ情報を外部から書き換えることもできる。
【００４７】
以上述べたように、本実施の形態におけるＩＣタグ１は、外装体６の内部に形成した収納空間６ａに、基板４と保護板５とを重ねて非接着で収納し、基板４は、タグＩＣチップ２と、このタグＩＣチップ２に接続されたタグアンテナ部３とを備えている。このため、衣類に取り付け、洗濯により激しく揉んでも、保護板５により基板４を保護し、外部から応力による基板４の変形、破損を抑えている。よって、タグＩＣチップ２、タグアンテナ部３およびタグＩＣチップ２とタグアンテナ部３との接合部を損傷しにくくすることができる。
【００４８】
また、例えば、衣類をアイロンで高温加熱しても、基板４と保護板５は外装体６の収納空間６ａに非接着で収納したことにより、外装体６の伸び縮みによる影響を受けにくい。このため、基板４の変形が抑えられ、この変形による回路破損を抑えることができる。
【００４９】
また、保護板５のバリ１１を外装部７ａに当接しないように基板４側に向けている。さらに、基板４を保護板５と外装部７ｂとの間に入れることにより、そのプラスチックシートの厚みの寸法だけ距離を離すことになるため、保護板５が外装部７ｂに当接しにくくなる。このような構成により、硬い材質の保護板５により外装部７ａまたは外装部７ｂを損傷しにくくすると共に、硬い保護板５が衣類を損傷するのを抑えている。よって、衣類に取り付けたＩＣタグ１を洗濯して激しく揉んでも、ＩＣタグ１の外装体６を損傷しにくくすると共に、衣類に傷をつけにくくすることができる。
【００５０】
なお、実施の形態の説明は、本発明の理解を容易にするためのものであり、本発明を限定するものではない。本発明は、その趣旨を逸脱することなく、変更、改良されると共に本発明にその等価物が含まれるのは勿論である。
【００５１】
例えば、外装体６は、本実施の形態では、枠部材７ｃの上下面を外装部７ａ、７ｂで覆うことで収納空間６ａを形成したが、外装体６の内部に収納空間６ａを形成するものであればよく、枠部材７ｃと外装部７ａ、７ｂとを一体で成型するようにしてもよい。
【産業上の利用可能性】
【００５２】
以上のごとく本発明は、外装体の収納空間に、基板と保護板とを重ねて非接着で収納し、基板はタグＩＣチップとタグアンテナ部とを備えるようにしたものであるため、衣類に取り付けられて、洗濯をした場合であっても、破損しにくくするものである。
【００５３】
すなわち、保護板により基板を保護し、外部から応力による基板の変形、破損を抑え、損傷しにくくしている。
【００５４】
したがって、衣類、タオル、シーツなどに取り付け、洗濯した場合でも損傷しにくくすることを可能とするＩＣタグなどに有用である。
【図面の簡単な説明】
【００５５】
【図１】本発明の実施の形態におけるＩＣタグの概観図
【図２】同ＩＣタグの分解斜視図
【図３】同ＩＣタグの保護板を説明する斜視図
【図４】同ＩＣタグの保護板を説明する上面図
【図５】同図１のＡ−Ａ線の断面を示す断面図
【図６】同図５の一部分Ｂの部分断面図
【図７】同ＩＣタグの他の実施例を示す分解斜視図
【図８】同図７に示すＩＣタグの断面図
【図９】同ＩＣタグの他の実施例を示す分解斜視図
【図１０】同図９に示すＩＣタグの断面図
【図１１】同ＲＦＩＤシステムの構成を示すブロック図
【符号の説明】
【００５６】
１，２０，３０    ＩＣタグ
２    タグＩＣチップ
３    タグアンテナ部
４    基板
５，１２，１３    保護板
６    外装体
７ａ，７ｂ    外装部
７ｃ，１４    枠部材
８    孔部
９，１０    角
１１    バリ
２１，４２    変調回路
２２    メモリ
２３，２４    ダイオード
２５，２６    コンデンサ
２７    スイッチ
２８，４１    制御回路
２９，４５    復調回路
４０    メモリ部
４３    送信回路
４４    受信回路
４６    クロック回路
４７    電源回路
４８    送信アンテナ
４９    受信アンテナ
５０    リーダライタ装置
６０    ＲＦＩＤシステム
【図１】
2009211464.tif 000003
【図２】
2009211464.tif 000004
【図３】
2009211464.tif 000005
【図４】
2009211464.tif 000006
【図５】
2009211464.tif 000007
【図６】
2009211464.tif 000008
【図７】
2009211464.tif 000009
【図８】
2009211464.tif 000010
【図９】
2009211464.tif 000011
【図１０】
2009211464.tif 000012
【図１１】
2009211464.tif 000013